(57)【要約】      （修正有）【課題】スライド操作を容易とする入力装置を備えたシステムを提供する。【解決手段】システム１００の操作パネルは、ユーザの操作部位による操作が行われる操作面１０１の少なくとも一部にスライド操作部１１０、１２０、１３０を有している。スライド操作部は、第１方向Ｄ１に沿ってスライド操作がなされる場合の摩擦抵抗と、第１方向と反対向きの第２方向Ｄ２に沿ってスライド操作がなされる場合の摩擦抵抗とが異なる。第１方向に沿ったスライド操作を検出した場合に、制御対象の制御値を増加させる制御信号を生成し、第２方向に沿ったスライド操作を検出した場合に制御値を減少させる制御信号を生成する。【選択図】図２
2018073281.tif 000002
【特許請求の範囲】
【請求項１】
操作パネルと、
前記操作パネルの少なくとも一部に設けられ、ユーザの操作部位によるスライド操作を受け付けるスライド操作部と、
前記スライド操作部に対する前記操作部位の接触を検出する検出部と、
を備え、
前記スライド操作部の表面に、前記操作部位によるスライド操作量をユーザに感知させる凹凸加工が施されている
入力装置。
【請求項２】
前記スライド操作部は、所定のスライド軌道における第１方向に沿ってスライド操作がなされる場合の摩擦抵抗と、前記スライド軌道における前記第１方向と反対向きの第２方向に沿ってスライド操作がなされる場合の摩擦抵抗とが異なる
請求項１に記載の入力装置。
【請求項３】
前記検出部によって前記スライド操作を検出した場合に、前記スライド操作に応じて制御対象の制御値を変更する制御信号を生成する制御部を更に備え、
前記制御部は、前記第１方向に沿ったスライド操作を前記検出部が検出した場合に前記制御値を増加させる制御信号を生成し、且つ、前記第２方向に沿ったスライド操作を前記検出部が検出した場合に前記制御値を減少させる制御信号を生成し、
前記第１方向に沿ってスライド操作がなされる場合の摩擦抵抗が前記第２方向に沿ってスライド操作がなされる場合の摩擦抵抗よりも大きい
請求項２に記載の入力装置。
【請求項４】
前記操作パネルの一部が、ディスプレイの表示領域と重畳して設けられており、
前記スライド操作部の摩擦抵抗が、操作パネルの前記表示領域と重畳した部分の摩擦抵抗よりも小さい
請求項１から３の何れか一項に記載の入力装置。
【請求項５】
前記操作パネルの前記スライド操作部において、当該スライド操作部の外部領域との境界領域は、当該境界領域よりも内側の一般領域に比べて前記凹凸加工における凸頂部と凹底部との高低差である凹凸高さが相対的に小さい
請求項１から４の何れか一項に記載の入力装置。
【請求項６】
前記境界領域における前記凹凸高さは、前記一般領域から前記外部領域に向かって徐々に小さくなっている
請求項５に記載の入力装置。
【請求項７】
操作パネルの少なくとも一部に設けられ、ユーザの操作部位によるスライド操作を受け付けるスライド操作部と、前記スライド操作部に対する前記操作部位の接触を検出する検出部とを備え、前記スライド操作部の表面に、前記操作部位によるスライド操作量をユーザに感知させる凹凸加工が施され、所定のスライド軌道における第１方向に沿ってスライド操作がなされる場合の摩擦抵抗と、前記スライド軌道における前記第１方向と反対向きの第２方向に沿ってスライド操作がなされる場合の摩擦抵抗とが異なる入力装置が、
前記検出部によって前記スライド操作を検出するステップと、
前記検出部によって検出したスライド操作が、前記第１方向に沿ったスライド操作場合に、制御対象の制御値を増加させる制御信号を生成するステップと、
前記検出部によって検出したスライド操作が、前記第２方向に沿ったスライド操作を前記検出部が検出した場合に前記制御値を減少させる制御信号を生成するステップと、
前記制御対象の制御を実行する装置に、前記制御信号を入力するステップと、
を実行する入力方法。
【請求項８】
ユーザの操作部位によるスライド操作を受け付けて、前記操作部位の接触を検出部に検出させるスライド操作部を備え、前記スライド操作部の表面に、前記操作部位によるスライド操作量をユーザに感知させる凹凸加工が施されている操作パネル。
【発明の詳細な説明】
【技術分野】
【０００１】
本発明は、入力装置、入力方法及び操作パネルに関する。
【背景技術】
【０００２】
近年、ディスプレイと重畳したタッチパネルや、タッチパッドを操作部として採用した電子機器が広く普及している（例えば、特許文献１）。このような電子機器では、ボタンやスイッチ等の機械的な可動部品が少なくなり、故障率を低減できる、防水性を確保しやすいといった技術的なメリットのほか、外観の凹凸が少なくなり、シンプルで先進的な印象になるといった審美的なメリットを有する。
【先行技術文献】
【特許文献】
【０００３】
【特許文献１】特開２０１４−１６７６００号公報
【発明の概要】
【発明が解決しようとする課題】
【０００４】
タッチパネルやタッチパッドを用いた操作として、ユーザが、例えば指で操作面に触れ、この指を摺動移動（スライド）させることで、この移動量に応じてオーディオの音量や動画の再生位置といった操作対象を変化させる操作（以下、スライド操作とも称する）がある。
【０００５】
表示パネルと重畳されたタッチパネルは、表示パネル上の表示画像を鮮明に透過させられるように、表面が平滑になっており、汗等で湿った指でスライド操作を行った場合、摩擦抵抗が大きく、指が引っかかって、スムーズな操作が難しいといった問題があった。
【０００６】
また、タッチパネルに対するスライド操作では、可変抵抗器等の素子を操作する場合と比べて、操作による手応えが少ないため、操作量の調整が難しいという問題があった。
【０００７】
そこで本発明は、スライド操作部に対するスライド操作を容易とする技術の提供を課題とする。
【課題を解決するための手段】
【０００８】
本発明の入力装置は、上述した課題を解決するため、
操作パネルと、
前記操作パネルの少なくとも一部に設けられ、ユーザの操作部位によるスライド操作を受け付けるスライド操作部と、
前記スライド操作部に対する前記操作部位の接触を検出する検出部と、
を備え、
前記スライド操作部の表面に、前記操作部位によるスライド操作量をユーザに感知させる凹凸加工が施されている。
上記構成により、スライド操作部の表面形状が、スライド操作部以外の領域（外部領域）の表面と異なり、ユーザがスライド操作部の操作範囲を容易に把握できる。また、スライド操作部に凹凸加工を施し、スライド操作を行う場合の接触面積を減らして、スライド操作部を外部領域の摩擦抵抗よりも小さくして、スライド操作を容易にしている。
【０００９】
また、本発明の入力方法は、上述した課題を解決するため、
操作パネルの少なくとも一部に設けられ、ユーザの操作部位によるスライド操作を受け
付けるスライド操作部と、前記スライド操作部に対する前記操作部位の接触を検出する検出部とを備え、前記スライド操作部の表面に、前記操作部位によるスライド操作量をユーザに感知させる凹凸加工が施され、所定のスライド軌道における第１方向に沿ってスライド操作がなされる場合の摩擦抵抗と、前記スライド軌道における前記第１方向と反対向きの第２方向に沿ってスライド操作がなされる場合の摩擦抵抗とが異なる入力装置が、
前記検出部によって前記スライド操作を検出するステップと、
前記検出部によって検出したスライド操作が、前記第１方向に沿ったスライド操作場合に、制御対象の制御値を増加させる制御信号を生成するステップと、
前記検出部によって検出したスライド操作が、前記第２方向に沿ったスライド操作を前記検出部が検出した場合に前記制御値を減少させる制御信号を生成するステップと、
前記制御対象の制御を実行する装置に、前記制御信号を入力するステップと、
を実行する。
【００１０】
また、本発明の操作パネルは、上述した課題を解決するため、ユーザの操作部位によるスライド操作を受け付けて、前記操作部位の接触を検出部に検出させるスライド操作部を備え、前記スライド操作部の表面に、前記操作部位によるスライド操作量をユーザに感知させる凹凸加工が施されている。
【発明の効果】
【００１１】
本発明によれば、スライド操作部に対するスライド操作を容易とする技術を提供することができる。
【図面の簡単な説明】
【００１２】
【図１】図１は、実施形態に係る入力装置を備えたシステムの構成を示すブロック図である。
【図２】図２は、入力装置の正面図である。
【図３】図３は、パネルユニットの断面を模式的に示す図である。
【図４】図４は、スライド操作領域の表面形状を示す模式図である。
【図５】図５は、入力装置が実行する入力方法の説明図である。
【図６】図６は、スライド操作部における表面形状の変形例を示す図である。
【発明を実施するための形態】
【００１３】
以下、図面を参照して本発明の実施形態について説明する。以下の実施形態の構成は例示であり、本発明は実施形態の構成に限定されない。
〈装置構成〉
図１は、本実施形態に係る入力装置を備えたシステムの構成を示すブロック図、図２は、入力装置の正面図、図３は、パネルユニットの断面を模式的に示す図、図４は、スライド操作領域の表面形状を示す模式図である。
【００１４】
本システム１００は、パネルユニット１０、制御部２０、機能部３０を備えている。パネルユニット１０は、ユーザの指等の操作部位による操作を受ける操作パネル１１と、操作パネル上の操作領域に対する操作を検出するタッチパネル（検出部）１４と、タッチパネル１４に重畳して配置されたディスプレイ１５とを有している。なお、本例のパネルユニット１０は、ディスプレイ１５を含む構成としたが、ディスプレイ１５は必須の構成ではなく、ディスプレイ１５を省略してもよい。例えば、ディスプレイ１５とパネルユニット１０を別体に構成し、パネルユニット１０が操作パネル１１とタッチパネル１４を備える構成、所謂タッチパッドとして構成されてもよい。また、本実施形態において、ユーザの操作部位とは、操作面に接触して操作を行う部位であり、典型的には指である。以下、操作部位を単に指とも称すが、指に限定されるものではなく、掌や肘等、指以外の部位であってもよい。また、操作部位は、操作面に対する接触を検出部で検出可能なものであれ
ば、手袋をした指やタッチペンなど、ユーザの身体以外のものが介在する構成であっても良い。
【００１５】
本例の操作パネル１１は、透明な略平板状の部材であり、図２に示すように、ユーザの操作部位による操作が行われる操作面１０１の少なくとも一部にスライド操作部１１０，１２０，１３０を有している。また、操作パネル１１は、操作面１０１のスライド操作部以外の領域に表示領域１５０やタッチ操作部１９１〜１９５を有している。
【００１６】
スライド操作部１１０，１２０，１３０は、表面、即ちユーザ側の面に、凹凸加工が施されており、スライド操作を行うユーザにスライド操作量を感知させる。また、スライド操作部１１０，１２０，１３０は、所定のスライド軌道１１９，１２９，１３９における第１方向Ｄ１に沿ってスライド操作がなされる場合の摩擦抵抗と、前記スライド軌道における前記第１方向Ｄ１と反対向きの第２方向Ｄ２に沿ってスライド操作がなされる場合の摩擦抵抗とが異なるように、凹凸加工が施されている。特に、本例では、第１方向に沿ってスライド操作がなされる場合の摩擦抵抗が第２方向に沿ってスライド操作がなされる場合の摩擦抵抗よりも大きくなるように凹凸加工が施されている。
【００１７】
図４は、スライド操作部１２０の表面形状を模式的に示す図であり、図４（ａ）は、スライド操作部１２０の平面を示し、図４（ｂ）は、図４（ａ）のＡ−Ａ線に沿う断面を示している。図４（ｂ）に示すように、スライド操作部１２０の表面形状は、外部領域２０１の表面に対してＺ軸方向へ突出した複数の凸部１２３がＸ軸方向に列設され、この複数の凸部１２３の間に凹部が形成された凹凸形状となっている。この断面が三角形状の凸部１２３は、Ｙ軸方向へ長手に形成されており、三角柱の一側面を操作パネルの表面に沿わせ、この三角柱の長手方向をＹ軸方向と平行に並べたような形状となっている。このようにスライド操作部１２０の表面には、凹凸加工が施されており、ユーザが指でスライド操作を行う際の接触面積が、外部領域２０１等の平滑な表面と比べて少ないため、摩擦抵抗が小さくなっている。特に、操作パネル１１の一部が、ディスプレイ１５の表示領域１５０と重畳して設けられており、ディスプレイ１５の表示を鮮明に透過させられるように、この操作パネル１１の表面が鏡面のように高い平滑度となっており、指でスライド操作を行う際の摩擦抵抗が高くなるため、スライド操作部１２０の表面に凹凸加工を施すことで、少なくともこの重畳部分よりもスライド操作部１２０の摩擦抵抗を小さくしている。
【００１８】
また、図４（ｃ）に示すように、ユーザが指４１を第１方向Ｄ１へ移動させてスライド操作を行う場合、スライド操作部１２０の凸部１２３の指４１と対向する面１２５は、指４１の進行方向である第１方向Ｄ１と略直交している。これに対し、ユーザが指４１を第２方向Ｄ２へ移動させてスライド操作を行う場合、スライド操作部１２０の凸部１２３の指４１と対向する面１２４は、指４１の進行方向である第２方向Ｄ２に向かって前のめりに傾斜している。このため、スライド操作部１２０と指４１との摩擦抵抗は、第１方向に沿ってスライド操作がなされる場合と、第２方向に沿ってスライド操作がなされる場合とで異なっている。特に、本例では、第１方向に沿ってスライド操作がなされる場合の摩擦抵抗が前記第２方向に沿ってスライド操作がなされる場合の摩擦抵抗よりも大きくなっている。
【００１９】
更に、スライド操作部１２０において、外部領域との境界領域（図４（ａ）の点線１２１より外側の部分）１２６は、当該境界領域１２６よりも内側の一般領域１２７に比べて前記凹凸加工における凸頂部と凹底部との高低差である凹凸高さが相対的に小さく形成されている。特に、本例では、図４（ｅ），図４（ｆ）に示すように、境界領域１２６における前記凹凸高さが、前記一般領域から前記外部領域に向かって徐々に小さくなるように形成されている。これにより、スライド操作部１２０における一般領域１２７の凹凸形状と外部領域の平滑な形状との差異が目立たなくなり、意匠性が向上する。なお、図４では
、スライド操作部１２０について説明したが、スライド操作部１１０，１３０についても同様である。
【００２０】
タッチパネル１４は、ユーザの指が操作面に接触した際の静電容量の変化に基づいて、接触位置を求める静電容量方式のタッチパネルである。例えば、図２では、操作面（平面）内に直交する二つの軸（Ｘ軸，Ｙ軸）を定め、接触位置をこの座標系における座標を示す情報（以下、位置情報とも称す）として求める。なお、タッチパネル１４は、静電容量方式に限らず、抵抗膜方式や、超音波表面弾性波方式、光学方式であってもよい。
【００２１】
ディスプレイ１５は、ＬＣＤ（Liquid Crystal Display）などの表示手段であり、タッチパネル１４で検出した操作に応じた制御信号を機能部３０へ入力した結果等の映像信号を機能部３０から受信して表示する。
【００２２】
制御部２０は、タッチパネル１４による検出結果（位置情報）に基づいてスライド操作を検出し、スライド操作に応じて制御対象の制御値を変更する制御信号を生成して機能部３０へ入力する。例えば、制御部２０は、第１方向Ｄ１に沿ったスライド操作をタッチパネル１４が検出した場合に、制御値を増加させる制御信号を生成し、また、第２方向Ｄ２に沿ったスライド操作をタッチパネル１４が検出した場合に制御値を減少させる制御信号を生成する。
【００２３】
制御部２０は、例えばＣＰＵやメモリを備えたマイクロコンピュータである。メモリは、主記憶装置と補助記憶装置とを含んでもよい。主記憶装置は、ＣＰＵの作業領域，プログラムやデータの記憶領域，通信データのバッファ領域として使用される。主記憶装置は、例えば、Random Access Memory（ＲＡＭ），或いはＲＡＭとRead Only Memory（ＲＯＭ）との組み合わせで形成される。
【００２４】
ＣＰＵは、ＭＰＵ（Micro Processor Unit）、マイクロプロセッサ、プロセッサ、処理装置とも呼ばれる。ＣＰＵは、単一のプロセッサに限定される訳ではなく、マルチプロセッサ構成であってもよい。また、単一のソケットで接続される単一のＣＰＵがマルチコア構成を有していても良い。上記各部の少なくとも一部の処理は、ＣＰＵ以外のプロセッサ、例えば、Digital Signal Processor(DSP)、Graphics Processing Unit（GPU）、数値演算プロセッサ、ベクトルプロセッサ、画像処理プロセッサ等の専用プロセッサで行われても良い。また、上記各部の少なくとも一部の処理は、集積回路（ＩＣ）、その他のデジタル回路であっても良い。また、上記各部の少なくとも一部にアナログ回路が含まれても良い。集積回路は、ＬＳＩ，Application Specific Integrated Circuit（ASIC），プログ
ラマブルロジックデバイス（ＰＬＤ）を含む。ＰＬＤは、例えば、Field-Programmable Gate Array(FPGA)を含む。上記各部は、プロセッサと集積回路との組み合わせであっても
良い。組み合わせは、例えば、ＭＣＵ（Micro Controller Unit），ＳｏＣ（System-on-a-chip），システムＬＳＩ，チップセットなどと呼ばれる。
【００２５】
ＣＰＵは、メモリに記憶されたプログラムを主記憶装置にロードして実行する。メモリには、オペレーティングシステムやファームウェアといったプログラムがインストールされている。
【００２６】
なお、機能部３０に備えられた制御部（不図示）が、入力装置１２の制御部２０を兼ねてもよい。即ち、機能部３０と入力装置１２の制御部が一体的に構成されてもよい。
【００２７】
機能部３０は、入力装置１２から入力される制御信号に応じて制御対象の制御を実行する装置である。本例のシステム１００は、目的地までの経路の算出や、経路の表示といったナビゲーション機能と、音楽を再生するオーディオ機能と、動画の再生やテレビ放送の
表示を行うビジュアル機能とを実行する機能部３０を一体的に備えた電子機器（ＡＶＮ機）である。また、これに限らず、機能部３０は、エアコンの機能や、サイドミラーの角度を調整する機能、前照灯の照射位置（高さ）を調整する機能を実行するものであっても良い。
【００２８】
〈入力方法〉
次に、入力装置１２が、検出したスライド操作に基づく制御信号を機能部へ入力する入力方法について説明する。図５は、入力装置１２が実行する入力方法の説明図である。入力装置１２は、処理の開始指示を受けた場合や車両の電気系統がＯＮとなった場合に、図５の処理を開始する。
【００２９】
先ず、入力装置１２は、操作パネル１１に対する接触を検出したか否かを判定する（ステップＳ１０）。ここで、接触を検出していなければ（ステップＳ１０、Ｎｏ）、入力装置１２は、図５の処理を終了する。
【００３０】
一方、操作パネル１１に対する接触を検出した場合（ステップＳ１０、Ｙｅｓ）、入力装置１２は、当該接触位置の位置情報を取得する（ステップＳ２０）。
【００３１】
そして、入力装置１２は、所定時間が経過したか否かを判定し（ステップＳ３０）、所定時間が経過していなければ（ステップＳ３０、Ｎｏ）、ステップＳ２０の位置情報の取得を繰り返す。一方、所定時間が経過していれば（ステップＳ３０、Ｙｅｓ）、入力装置１２は、ステップＳ２０で検出した位置情報に基づいて、接触の開始位置から所定時間経過後の接触位置までの移動軌跡を求める（ステップＳ４０）。なお、所定時間が経過するまでに、接触が解消された場合、即ち所定時間経過時に接触していなければ、最後に接触した位置までの移動軌跡を求める。
【００３２】
次に、入力装置１２は、ステップＳ４０で求めた移動軌跡が、所定のスライド軌道１１９，１２９，１３９に沿っているか否かによって、スライド操作か否かを判定する（ステップＳ５０）。ここで、移動軌跡がスライド軌道１１９，１２９，１３９に沿っていない、即ちスライド操作でないと判定した場合（ステップＳ５０、Ｎｏ）、入力装置１２は、図５の処理を終了する。
【００３３】
一方、移動軌跡がスライド軌道１１９，１２９，１３９に沿っている、即ちスライド操作が行われたと判定した場合（ステップＳ５０、Ｙｅｓ）、移動方向が第１方向Ｄ１か否かを判定する（ステップＳ６０）。
【００３４】
移動方向が第１方向Ｄ１であると判定した場合（ステップＳ６０、Ｙｅｓ）、入力装置１２は、制御値を増加させる制御信号を生成する（ステップＳ７０）。一方、移動方向が第１方向Ｄ１ではないと判定した場合（ステップＳ６０、Ｎｏ）、入力装置１２は、制御値を減少させる制御信号を生成する（ステップＳ８０）。
【００３５】
そして、入力装置１２は、ステップＳ７０、Ｓ８０で生成した制御信号を機能部３０へ入力して（ステップＳ９０）、図５の処理を終了する。なお、入力装置１２は、処理の停止指示を受けるまで、又は車両の電気系統がＯＦＦとなるまで、図５の処理を繰り返し実行開始する。
【００３６】
このように図５の処理によれば、スライド操作が行われた場合に、当該スライド操作が第１方向Ｄ１であれば、制御値を増加させる制御信号を機能部３０へ入力し、第２方向Ｄ２であれば、制御値を減少させる制御信号を機能部３０へ入力する。また、本例では、第１方向Ｄ１へのスライド操作は、第２方向Ｄ２へのスライド操作に比べて摩擦抵抗が大き
く、第２方向Ｄ２へのスライド操作は、第１方向Ｄ１へのスライド操作に比べて摩擦抵抗が小さい。このため、ユーザは、スライド操作時の操作感（摩擦抵抗の大小）によって操作結果を直感的に把握することができる。例えば、スライド操作部１３０を用いて、オーディオ機能の音量を調整する場合に、第１方向Ｄ１へのスライド操作が行われた場合には、音量を大きくする制御信号を機能部３０へ入力し、第２方向Ｄ２へのスライド操作が行われた場合には、音量を小さくする制御信号を機能部３０へ入力する構成とする。これにより、ユーザは、スライド操作時の摩擦抵抗が大きければ、音量が大きくなり、摩擦抵抗が小さければ、音量が小さくなることが分かり、操作性が向上する。特に、運転中、不意に大きな音が鳴ると、運転に支障をきたす可能性が考えられるが、本例によれば、直感的に音量が大きくなるか否かを把握できるので、操作ミス等を抑えることができ、安全上望ましい。
【００３７】
これに限らず、エアコンの風量を調整する場合に、第１方向Ｄ１へのスライド操作が行われた場合には、風量を大きくする制御信号を機能部３０へ入力し、第２方向Ｄ２へのスライド操作が行われた場合には、風量を小さくする制御信号を機能部３０へ入力する構成としてもよい。
【００３８】
また、ラジオやテレビの選局を行う場合に、第１方向Ｄ１へのスライド操作が行われた場合には、チャネルの番号や周波数を大きくする制御信号を機能部３０へ入力し、第２方向Ｄ２へのスライド操作が行われた場合には、チャネルの番号や周波数を小さくする制御信号を機能部３０へ入力する構成としてもよい。
【００３９】
更に、ナビゲーション機能の地図の縮尺を調整する場合に、第１方向Ｄ１へのスライド操作が行われた場合には、地図を拡大する制御信号を機能部３０へ入力し、第２方向Ｄ２へのスライド操作が行われた場合には、地図を縮小する制御信号を機能部３０へ入力する構成としてもよい。
【００４０】
そして、車両速度を調整する場合に、第１方向Ｄ１へのスライド操作が行われた場合には、車両速度を上げる制御信号を機能部３０へ入力し、第２方向Ｄ２へのスライド操作が行われた場合には、車両速度を下げる制御信号を機能部３０へ入力する構成としてもよい。
【００４１】
また、本例の入力装置は、車両に搭載される装置に限定されるものではなく、操作対象の制御値を調整する操作を必要とする装置に広く適用できる。例えば、キッチンのコンロ（機能部３０）の火力或は発熱量を調整する場合に、第１方向Ｄ１へのスライド操作が行われた場合には、火力或は発熱量を増加させる制御信号を当該コンロへ入力し、第２方向Ｄ２へのスライド操作が行われた場合には、火力或は発熱量を減少させる制御信号を当該コンロへ入力する構成としてもよい。
【００４２】
また、風呂場の給湯器を機能部３０とし、シャワーの湯温を調整する場合に、第１方向Ｄ１へのスライド操作が行われた場合には、湯温を高くする制御信号を給湯器へ入力し、第２方向Ｄ２へのスライド操作が行われた場合には、湯温を低くする制御信号を給湯器へ入力する構成としてもよい。
【００４３】
更に、扇風機を機能部３０とし、風量を調整する場合に、第１方向Ｄ１へのスライド操作が行われた場合には、風量を増加させる制御信号を扇風機へ入力し、第２方向Ｄ２へのスライド操作が行われた場合には、風量を減少させる制御信号を扇風機へ入力する構成としてもよい。
【００４４】
また、釣り具の電動リールを機能部３０とし、巻き取り速度を調整する場合に、第１方
向Ｄ１へのスライド操作が行われた場合には、巻き取り速度を増加させる制御信号を電動リールへ入力し、第２方向Ｄ２へのスライド操作が行われた場合には、巻き取り速度を減少させる制御信号を電動リールへ入力する構成としてもよい。
【００４５】
〈表面形状の変形例〉
図６は、スライド操作部１２０，１３０における表面形状の変形例を示す図である。図６（ａ）、図６（ｂ）は、第１方向Ｄ１へ行くに従って凸部１２３を大きくし、第２方向Ｄ２へ行くに従って凸部１２３を小さくした例を示している。この形状によれば、スライド操作を行った際、第１方向Ｄ１へ移動する程、摩擦抵抗が大きくなり、第２方向Ｄ２へ移動する程、摩擦抵抗が小さくなる。これにより、スライド操作の方向に応じた操作感の差異をより明確に得ることができる。
【００４６】
図６（ｃ）の例では、図６（ｂ）と比べて、凸部１２３の高さを低くし、ピッチを同じとして、凸部１２３の前端部（Ｚ軸方向の端部）の内角θを大きくすることで、摩擦抵抗を低く設定している。このように凸部１２３における前端部の内角θを調整することで、任意の摩擦抵抗となるように設定してもよい。
【００４７】
図６（ｄ）の例では、スライド軌道とＺ軸に沿った断面を矩形状とした凸部１２２をスライド軌道方向に並設した構成としている。図６（ｅ）の例は、図６（ｄ）と比べて、凸部１２２の間のギャップをなくし、階段状の表面形状としている。
【００４８】
また、図６（ａ）〜図６（ｅ）では、凸部１２３の高さをスライド軌道１２９，１３９と直交する方向において一定としたが、これに限らず、高さを変えて凹凸を設けてもよい。図６（ｆ）では、スライド操作部１２０，１３０に、正三角錐の凸部１２８を複数設け、第１方向Ｄ１へ行くに従って凸部１２８を大きくし、第２方向Ｄ２へ行くに従って凸部１２８を小さくした例を示している。
【００４９】
図６（ｄ）〜図６（ｆ）の形状においても、スライド操作を行った際、第１方向Ｄ１へ移動する程、摩擦抵抗が大きくなり、第２方向Ｄ２へ移動する程、摩擦抵抗が小さくなる。これにより、スライド操作の方向に応じた操作感の差異をより明確に得ることができる。
【００５０】
なお、図４、図６の例では、外部領域の表面から凸部２１３を突出させて凹凸形状を形成したが、外部領域の表面より掘り下げた凹部を複数設け、凹部の間を凸部とした凹凸形状を形成してもよい。
【００５１】
また、図６では、スライド軌道を直線としたスライド操作部１２０，１３０について説明したが、スライド軌道を円形としたスライド操作部１１０についても同様に第１方向Ｄ１と第２方向Ｄ２とで凸部の形状を異ならせた構成としてもよい。
【００５２】
〈実施形態の作用・効果〉
以上のように、本実施形態では、スライド操作部１１０，１２０，１３０に対する操作部位の接触を検出するタッチパネル（検出部）１４を備え、スライド操作部１１０，１２０，１３０の表面に、スライド操作量をユーザに感知させる凹凸加工が施されている。
【００５３】
これにより、スライド操作部１１０，１２０，１３０の表面形状が外部領域の表面と異なり、ユーザがスライド操作部の操作範囲を容易に把握できる。また、スライド操作部１１０，１２０，１３０に凹凸形状を形成し、スライド操作を行う場合の接触面積を減らして、スライド操作部１１０，１２０，１３０の摩擦抵抗を外部領域の摩擦抵抗よりも小さくして、スライド操作を容易にしている。
【００５４】
また、前記スライド操作部は、所定のスライド軌道における第１方向に沿ってスライド操作がなされる場合の摩擦抵抗と、前記スライド軌道における前記第１方向と反対向きの第２方向に沿ってスライド操作がなされる場合の摩擦抵抗とを異ならせて構成されている。
【００５５】
これにより、ユーザが、スライド操作を行った方向を操作感（摩擦抵抗）によって直感的に把握することができる。
【００５６】
また、入力装置１２は、タッチパネル１４によってスライド操作を検出した場合に、スライド操作に応じて制御対象の制御値を変更する制御信号を生成する制御部２０を備え、制御部２０は、第１方向に沿ったスライド操作をタッチパネル１４が検出した場合に前記制御値を増加させる制御信号を生成し、且つ、前記第２方向に沿ったスライド操作をタッチパネル１４が検出した場合に前記制御値を減少させる制御信号を生成し、第１方向に沿ってスライド操作がなされる場合の摩擦抵抗が第２方向に沿ってスライド操作がなされる場合の摩擦抵抗よりも大きく構成されている。
【００５７】
このように、スライド操作の方向に応じて、生成する制御信号と摩擦抵抗抵抗の大小が対応付けて定められているため、ユーザが、スライド操作を行った際の操作感（摩擦抵抗）によって、操作結果を直感的に把握することができる。例えば、スライド操作部１３０を用いて、オーディオ機能の音量を調整する場合に、スライド操作時の摩擦抵抗が大きければ、音量が大きくなり、摩擦抵抗が小さければ、音量が小さくなることが分かり、操作性が向上する。
【００５８】
また、入力装置１２は、操作パネル１１の一部が、ディスプレイ１５の表示領域と重畳して設けられており、前記スライド操作部１１０，１２０，１３０の摩擦抵抗が、操作パネルの前記表示領域と重畳した部分の摩擦抵抗よりも小さい構成とされている。
【００５９】
これによりスライド操作部１１０，１２０，１３０の表面を滑り易くし、スライド操作を容易にしている。
【００６０】
また、入力装置１２は、操作パネル１１のスライド操作部１１０，１２０，１３０において、当該スライド操作部１１０，１２０，１３０の外部領域との境界領域１２６は、当該境界領域１２６よりも内側の一般領域１２７に比べて前記凹凸加工における凸頂部と凹底部との高低差である凹凸高さが相対的に小さい構成とされている。また、前記境界領域１２６における前記凹凸高さは、前記一般領域１２７から前記外部領域に向かって徐々に小さくされている。
【００６１】
これにより、スライド操作部１２０における一般領域１２７の凹凸形状と外部領域の平滑な形状との差異が目立たなくなり、意匠性を向上させている。
【００６２】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００６３】
１０  パネルユニット
１１  操作パネル
１２  入力装置
１４  タッチパネル
１５  ディスプレイ
２０  制御部
３０  機能部
４１  指
１００  システム
１１０，１２０，１３０  スライド操作部
【図１】
2018073281.tif 000003
【図２】
2018073281.tif 000004
【図３】
2018073281.tif 000005
【図４】
2018073281.tif 000006
【図５】
2018073281.tif 000007
【図６】
2018073281.tif 000008